(57)【要約】【課題】常時キーを持ち歩く必要のない完全キーレスシステムの利便性を維持しつつ、非登録者への一時的な貸与を容易化する。【解決手段】ドア解錠用指紋認証装置５による照合が成立してドアが解錠された後であっても、一時使用許可用指紋認証装置１４による照合が成立しないと一時使用鍵管理装置１５の解錠を許可しない（一時使用鍵１６の取り外しを不可とする）システム構成とした。【選択図】      図１
2004190381.tif 000002
【特許請求の範囲】
【請求項１】
ユーザの固有の特徴情報を照合する特徴情報照合手段と、
前記ユーザの固有の特徴情報が予め車両側に登録された情報と一致したときに、当該車両側の施錠部を解錠する解錠制御手段と、
前記特徴情報照合手段による照合結果にかかわらず前記施錠部を解錠可能なキーを所定条件で取り外すことができるように保持する保持手段とを備え、
前記保持手段は、前記所定条件として前記特徴情報照合手段による前記特徴情報の照合が成立した時に、前記キーの取り外しを許可することを特徴とする車両用解錠装置。
【請求項２】
前記特徴情報照合手段による前記特徴情報の照合がされずに前記キーが使用された場合若しくは前記キーが前記保持手段から取り外された場合には、盗難警報又はユーザへの報知を行なう報知手段を更に備えることを特徴とする請求項１に記載の車両用解錠装置。
【請求項３】
前記キーが使用された場合若しくは前記キーが前記保持手段から取り外された場合には、少なくとも車両の位置情報をユーザに閲覧可能とする情報提供手段を更に備えることを特徴とする請求項１に記載の車両用解錠装置。
【請求項４】
前記キーが使用された場合若しくは前記キーが前記保持手段から取り外された場合には、前記解錠制御手段による施錠部の解錠を禁止する禁止手段を更に備えることを特徴とする請求項１に記載の車両用解錠装置。
【請求項５】
前記特徴情報照合手段による前記特徴情報の照合が成立した者に対して許可される操作項目を複数設定できる設定手段を更に備え、当該操作項目ごとに重要度が設定されていることを特徴とする請求項１に記載の車両用解錠装置。
【請求項６】
前記設定手段は、前記重要度の最も高い操作項目を許可した者に対し当該重要度の最も高い操作項目より低い操作項目を許可するが、前記重要度の最も高い操作項目より低い操作項目のみが許可された者に対しては前記重要度の最も高い操作項目を不許可とすることを特徴とする請求項５に記載の車両用解錠装置。
【請求項７】
前記保持手段に正規のキーが保持されているか否かを報知する報知手段を更に備えることを特徴とする請求項１に記載の車両用解錠装置。
【発明の詳細な説明】
【０００１】
【発明の属する技術分野】
本発明は、ユーザの固有の特徴情報が予め車両側に登録された情報と一致したときに、当該車両側のドアロック機構などの施錠部を解錠する車両用解錠装置に関する。
【０００２】
【従来の技術】
従来の車両用解錠装置として、ＩＣカードに登録されたユーザの指紋と実際の運転者の指紋とを照合し、両指紋が一致しない場合にはエンジンスイッチの作動を不能とするものがある（例えば、特開２００２−１０４１３６号公報）。
【０００３】
【特許文献１】
特開２００２−１０４１３６号公報
【０００４】
【発明が解決しようとする課題】
しかしながら、上記指紋認証においては指紋の非登録者に一時的に車両を貸与したい場合に非登録者がエンジンスイッチを作動できないなどの不便さがある。
【０００５】
本発明は、上記課題に鑑みてなされ、その目的は、常時キーを持ち歩く必要のない完全キーレスシステムの利便性を維持しつつ、非登録者への一時的な貸与を容易化できる車両用解錠装置を提供することである。
【０００６】
【課題を解決するための手段】
上記の目的を達成するため、本発明に係る車両用解錠装置は、ユーザの固有の特徴情報を照合する特徴情報照合手段と、前記ユーザの固有の特徴情報が予め車両側に登録された情報と一致したときに、当該車両側の施錠部を解錠する解錠制御手段と、前記特徴情報照合手段による照合結果にかかわらず前記施錠部を解錠可能なキーを所定条件で取り外すことができるように保持する保持手段とを備え、前記保持手段は、前記所定条件として前記特徴情報照合手段による前記特徴情報の照合が成立した時に、前記キーの取り外しを許可する。
【０００７】
また、好ましくは、前記特徴情報照合手段による前記特徴情報の照合がされずに前記キーが使用された場合若しくは前記キーが前記保持手段から取り外された場合には、盗難警報又はユーザへの報知を行なう報知手段を更に備える。
【０００８】
また、好ましくは、前記キーが使用された場合若しくは前記キーが前記保持手段から取り外された場合には、少なくとも車両の位置情報をユーザに閲覧可能とする情報提供手段を更に備える。
【０００９】
また、好ましくは、前記キーが使用された場合若しくは前記キーが前記保持手段から取り外された場合には、前記解錠制御手段による施錠部の解錠を禁止する禁止手段を更に備える。
【００１０】
また、好ましくは、前記特徴情報照合手段による前記特徴情報の照合が成立した者に対して許可される操作項目を複数設定できる設定手段を更に備え、当該操作項目ごとに重要度が設定されている。
【００１１】
また、好ましくは、前記設定手段は、前記重要度の最も高い操作項目を許可した者に対し当該重要度の最も高い操作項目より低い操作項目を許可するが、前記重要度の最も高い操作項目より低い操作項目のみが許可された者に対しては前記重要度の最も高い操作項目を不許可とする。
【００１２】
また、好ましくは、前記保持手段に正規のキーが保持されているか否かを報知する報知手段を更に備える。
【００１３】
【発明の効果】
以上説明したように、請求項１の発明によれば、ユーザの固有の特徴情報の照合が成立した時に、施錠部を解錠可能なキーを取り外すことができるように保持していることにより、常時キーを持ち歩く必要のない完全キーレスシステムの利便性を維持しつつ、非登録者への一時的な貸与を容易化できる。
【００１４】
請求項２の発明によれば、特徴情報の照合がされずにキーが使用された場合若しくはキーが取り外された場合には、盗難警報又はユーザへの報知を行なうことにより、一時貸与の場合でも盗難防止性を確保できる。
【００１５】
請求項３の発明によれば、特徴情報の照合成立によりキーが使用された場合若しくはキーが取り外された場合には、少なくとも車両の位置情報をユーザに閲覧可能とすることにより、貸与した車両の管理を管理者側で容易にできる。
【００１６】
請求項４の発明によれば、特徴情報の照合成立によりキーが使用された場合若しくはキーが取り外された場合には、特徴情報の照合による解錠部の解錠を禁止することにより、特徴情報が登録されていない一時使用者の利便性を確保できる。
【００１７】
請求項５の発明によれば、特徴情報の照合が成立した者に対して許可される操作項目を複数設定でき、操作項目ごとに重要度が設定されていることにより、セキュリティレベルに応じて特徴情報の照合が成立した者が操作できる項目を設定できる。
【００１８】
請求項６の発明によれば、重要度の最も高い操作項目を許可した者に対しその重要度の最も高い操作項目より低い操作項目を許可するが、重要度の最も高い操作項目より低い操作項目のみが許可された者に対しては重要度の最も高い操作項目を不許可とすることにより、セキュリティレベルに応じて特徴情報の照合が成立した者が操作できる項目を設定できる。
【００１９】
請求項７の発明によれば、保持手段に正規のキーが保持されているか否かを報知することにより、偽造された鍵などが保管されるのを防止できる。
【００２０】
【発明の実施の形態】
以下に、本発明に係る実施の形態について、添付図面を参照して詳細に説明する。
【００２１】
尚、以下に説明する実施の形態は、本発明の実現手段としての一例であり、本発明は、その趣旨を逸脱しない範囲で下記実施形態を修正又は変形したもの、例えば指紋以外のユーザの固有の特徴情報として音色や顔、静脈パターン、光彩などを用いた生体認証（バイオメトリクス認証）にも適用可能である。
【００２２】
［車両用解錠装置のシステム構成］
はじめに、図１を参照して本発明に係る実施形態の車両用解錠装置のシステム構成について説明する。
【００２３】
本実施形態に適用される車両用解錠装置は、図１に示すように、ユーザ（管理者や許可者）の固有の特徴情報（指紋など）をユーザの指３を接触させることにより読み取って予め車両側に登録された特徴情報と一致するか否かを照合する特徴情報照合手段としてのドア解錠用指紋認証装置５と、ユーザの固有の特徴情報が予め車両側に登録された情報と一致したときに当該車両側の施錠部としてのドアロック機構４の解錠（アンロック）を行なう解錠制御手段としての認証制御部６とを備える。
【００２４】
また、車室内には他の特徴情報照合手段としてのエンジン始動用指紋認証装置１２が設けられ、上記認証制御部６は上記ドアの解錠後に当該ユーザの固有の特徴情報が予め車両側に登録された情報と一致したときに当該車両側の施錠部としてのエンジン９の始動を許可する。
【００２５】
更に、車室内には他の特徴情報照合手段としての一時使用許可用指紋認証装置１４とが設けられ、上記認証制御部６は上記ドアの解錠後に当該ユーザの固有の特徴情報が予め車両側に登録された情報と一致したときに当該車両側の保持手段としての一時使用鍵管理装置１５の解錠を許可し、一時使用鍵１６の取り外しを可能な状態とする。
【００２６】
上記ドア解錠用指紋認証装置５は車外にいるユーザが指３を接触し、その接触された指の指紋を読み取る指紋センサがドアノブ近傍などに設けられ、また、上記エンジン始動用指紋認証装置１２及び一時使用許可用指紋認証装置１４はユーザが指３を接触し、その接触された指の指紋を読み取る指紋センサが車室内のドライバ席近傍などに設けられ、完全キーレスシステムを構成している。
【００２７】
ドアロック機構４によるドアの施錠（ロック）／解錠（アンロック）制御はドアロック制御装置７が行なう。
【００２８】
エンジン９の制御はエンジン制御装置８が行ない、ＩＣカード１や指紋認証を用いたエンジン９の始動／停止のほか、エンジン稼動状態において予めプログラムされた制御パターンにより成層燃焼や均一燃焼などの空燃比制御を実行する。
【００２９】
一時使用鍵管理装置１５はドア解錠用指紋認証装置５やエンジン始動用指紋認証装置１２の認証結果にかかわらずドア解錠機能及びエンジン始動機能を有する一時使用鍵１６を保管しており、その施錠（ロック）／解錠（アンロック）制御は認証制御部６が行なう。この一時使用鍵１６は車室内に保管されて指紋の非登録者に一時的に車両を貸与したい場合などに用いられる。
【００３０】
エンジン９の制御はエンジン制御装置８が行ない、指紋認証を用いたエンジン９の始動／停止のほか、エンジン稼動状態において予めプログラムされた制御パターンにより成層燃焼や均一燃焼などの空燃比制御を実行する。
【００３１】
尚、車両には所定の情報センター３２と無線通信可能な不図示の通信装置３１が搭載され、後述するフローチャートにおける一時使用許可モードで一時使用鍵１６の取り外しを許可した時点で、車両の現在位置や停止位置、走行場所、一時使用管理装置の施錠／解錠状態などが上記通信装置３１を介して情報センター３２に自動送信され、情報センター３２では車両から自動送信された各種情報を管理者の携帯電話やコンピュータなどの端末３３に送信する。
【００３２】
尚、上記一時使用許可用指紋認証装置１４で照合すべき特徴情報の数（指紋の特徴点の数など）は、ドア解錠用指紋認証装置５により照合する特徴情報の数より少なく設定してもよい。
【００３３】
尚、ドアロック制御装置７は指紋認証によるドア解錠（アンロック）状態でユーザがドアを閉じて所定時間経過すると自動的にドアを施錠（ロック）する自動ロックシステムを構成する。
【００３４】
更に、情報提供手段として車両には所定の情報センター３２と無線通信可能な不図示の通信装置３１が搭載され、後述するフローチャートにおける一時使用許可モードで一時使用鍵１６の取り外しを許可した時点で、車両の現在位置や停止位置、走行場所、鍵の施錠／解錠状態などの少なくともずれかが上記通信装置３１を介して情報センター３２に自動送信され、情報センター３２では車両から自動送信された各種情報を管理者の携帯電話やコンピュータなどの端末３３に送信する。
【００３５】
［キー形状の変形例］
上記一時使用鍵１６の変形例としては、図２（ａ）のように一時使用鍵１６内に非接触ＩＣチップ１７を内蔵したものや図２（ｂ）のように非接触ＩＣチップ１７を内蔵したカードキータイプのものが適用でき、この場合は指紋認証に加えてＩＣチップに登録された識別情報を照合することによりドアの解錠やエンジンの始動などを行なうように構成できる。
【００３６】
尚、ＩＣチップを内蔵したキーを適用する場合には、ドアロック制御装置７はドア解錠（アンロック）状態でユーザが車両ドアから離れてＩＣカード１から識別情報が読み取れなくなると自動的にドアを施錠（ロック）する自動ロックシステムを構成する。
【００３７】
また、図２（ｃ）に示すようにカードキーに指紋認証装置１８を内蔵したものも適用できる。
【００３８】
図３は一時使用鍵管理装置１５に搭載された鍵保管ボックス２１を例示し、図２（ａ）に示すＩＣチップ１７を内蔵した一時使用鍵の場合には、鍵保管ボックス２１にはＩＣチップリーダ１９が設けられ、一時使用鍵のＩＣチップ１７から読み取った識別情報が予め車両側に登録された情報と一致しているか否か、即ち保管すべき正規の鍵か否かを判断する。
【００３９】
また、鍵保管ボックス２１には正規の一時使用鍵１６が保管されているか否かを知らせる報知手段としてのＬＥＤランプ２０が設けられ、偽造された鍵などが保管されるのを防止している。
【００４０】
図４は鍵保管ボックス２１の代りにキーシリンダ２２で一時使用鍵１６を保管する構成を例示し、従来のキーシリンダ２２に設けられた”ＩＧＯＮ”，”ＯＮ”，”ＡＣＣ”，”ＯＦＦ”の他に保管位置を追加設定すると共に、このキーシリンダ２２の近傍に指紋認証装置２３を設けて、この指紋認証装置２３による照合によってユーザの特徴情報が予め予め車両側に登録された情報と一致しているときにのみ保管位置から一時使用鍵１６を取り外したり、他の位置に一時使用鍵１６を回すことができるように構成されている。
【００４１】
［解錠制御］
図５は、本発明に係る実施形態の解錠制御を示すフローチャートである。
【００４２】
本実施形態では、図１において一時使用許可用指紋認証装置１４による照合が成立しないと一時使用鍵管理装置１５の解錠を許可しない（一時使用鍵の取り外しを不可とする）システム構成とし、一時使用鍵１６が一時使用許可用指紋認証装置１４による照合なしに強制的に取り外された場合には、ドア解錠やエンジン始動を禁止すると共に、音声や光などで警報を発したり、管理者にメールなどを送信して通知するように構成されている。
【００４３】
上記制御によれば、常時キーを持ち歩く必要のない完全キーレスシステムの利便性を維持しつつ、非登録者への一時的な貸与を容易化できる。
【００４４】
上記制御に加えて、後述する一時使用許可モードとして、一時使用鍵１６を取り外した状態では、車両の現在位置や停止、走行、鍵の施錠及び解錠などの状態が、管理者の携帯電話やコンピュータなどから確認可能とすると共に、カーナビゲーションシステムやメールなどの車内の個人情報は保護された状態となる。また、一時使用鍵の取り外しのための指紋認証時に、一時使用者が操作可能な項目、移動許可範囲、有効期限などを管理者が登録できるシステム構成となっている。
【００４５】
＜解錠制御内容＞
図５に示すように、ドア解錠用指紋認証装置５による照合が成立してドアが解錠された後、ステップＳ１でユーザが一時使用許可用指紋認証装置１４に指３を接触させたことを検知したならば（ステップＳ１でＹＥＳ）、ステップＳ２で一時使用許可用指紋認証装置１４を起動して指紋認証可能な状態とする。
【００４６】
ステップＳ３では、一時使用許可用指紋認証装置１４がユーザの特徴情報としての指紋を読み取り（ステップＳ３でＹＥＳ）、ステップＳ４でその特徴情報が予め車両側に登録された情報（図６及び図７のマップに登録された管理者や許可者の指紋）と一致すると（ステップＳ４でＹＥＳ）、ステップＳ５で認証制御部６は一時使用鍵管理装置１５を解錠して一時使用鍵１６の取り外しを許可する。
【００４７】
その後、ステップＳ６で非登録者による操作を許可する一時使用許可モードを設定して終了する。
【００４８】
また、ステップＳ３でユーザが一時使用許可用指紋認証装置１４に指３を接触させたにもかかわらずユーザの特徴情報としての指紋を読み取れない場合には（ステップＳ３でＮＯ）、ステップＳ８でユーザに指紋の再入力を促すために、クラクションや方向指示ランプ、或いは車室内のディスプレイ表示や音声スピーカなどで報知する。
【００４９】
上記ステップＳ３で再入力を報知した後、ステップＳ９で所定時間経過するまでは上記ステップＳ３以降の処理を再度実行し、所定時間経過後は上記ステップＳ１０に進んで照合失敗などの異常情報をクラクションや方向指示ランプ、或いは車室内のディスプレイ表示や音声スピーカなどで報知する。
【００５０】
また、ステップＳ４でユーザの特徴情報と予め車両側に登録された情報とが不一致ならば（ステップＳ４でＮＯ）、ステップＳ７で予め設定された回数だけ上記ステップＳ９，Ｓ９を経てステップＳ３以降の指紋認証処理を再度実行し、その設定回数だけ実行したにもかかわらず一致しない場合には（ステップＳ７でＹＥＳ）、上記ステップＳ１０に進んで照合失敗などの異常情報をクラクションや方向指示ランプ、或いは車室内のディスプレイ表示や音声スピーカなどで報知する。
【００５１】
上記ステップＳ６での一時使用許可モードでは、一時使用鍵１６の取り外しを許可した時点で、車両の現在位置や停止位置、走行場所、一時使用鍵管理装置１５の施錠／解錠状態などの少なくともいずれかが通信装置３１を介して情報センター３２に自動送信され、情報センター３３では車両から自動送信された各種情報を管理者の携帯電話やコンピュータなどの端末３３に送信する。
【００５２】
また、上記ステップＳ４での指紋認証成立時に、設定手段として管理者（指紋の登録者）は、管理者以外に指紋が登録された許可者（家族など）が行なえる操作項目などを個別に設定したり、車両での移動許可範囲、有効期限などを登録できる。
【００５３】
例えば、一時使用鍵を取り外す際には、図６のマップに示すように、操作項目として一時使用鍵の取り外しを最重要のレベル３、エンジン始動を中程度のレベル２、ドア解錠を最も低いレベル３として操作項目に応じて区分し、非登録者はレベル１〜３のいずれの操作も許可されないのはもちろんのこと、運転免許を持っている許可者Ａはレベル１〜３の全てを指紋認証により許可される一方、運転免許を持っている許可者Ｂはレベル１とレベル２のみが許可されている。
【００５４】
また、運転免許を持っていない子供などの許可者Ｃ及びＤはレベル１のみを指紋認証により許可される一方、レベル２やレベル３が許可されないように登録される。
【００５５】
また、一時使用鍵を元に戻す際には、図７のマップに示すように、操作項目として一時使用鍵の保管を最重要のレベル３、エンジン始動を中程度のレベル２、ドア解錠を最も低いレベル３として操作項目に応じて区分し、非登録者はレベル１〜３のいずれの操作も許可されないのはもちろんのこと、運転免許を持っている許可者Ａ及びＢにはレベル１〜３のいずれの操作も許可しない一方、運転免許を持っている一時使用者にはレベル１とレベル２のみを許可するように登録される。
【００５６】
尚、上記図６及び図７のマップの登録においては、最重要のレベル３の操作項目を許可すると必然的にレベル１及びレベル２が許可され、中程度のレベル２の操作項目を許可すると必然的にレベル１が許可されると共にレベル２は不許可とされ、最も低いレベル１の操作項目を許可すると、レベル１のみが許可されてレベル２及びレベル３は不許可となるというように登録レベルに応じて許可される操作項目が異なっている。
【００５７】
尚、上述の各実施形態の解錠制御（図５のフローチャート）に対応するコンピュータプログラムや当該コンピュータプログラムが格納された記憶媒体を、車両に搭載されたコンピュータに供給して、当該コンピュータが記憶媒体に格納されたプログラムコードを読み出して、上記各実施形態の解錠処理を実行するようにしてもよい。
【図面の簡単な説明】
【図１】本発明に係る実施形態の車両用解錠装置のシステム構成を示すブロック図である。
【図２】本発明に係る実施形態の一時使用鍵の変形例を示す図である。
【図３】本発明に係る実施形態の鍵保管ボックスの構成例を示す図である。
【図４】鍵保管ボックスの代りにキーシリンダで一時使用鍵を保管する構成を例示する図である。
【図５】本発明に係る実施形態の解錠制御を示すフローチャートである。
【図６】一時使用許可モードでの登録内容を例示する図である。
【図７】一時使用許可モードでの登録内容を例示する図である。
【符号の説明】
３  被認証者の指
４  ドアロック機構
５  ドア解錠用指紋認証装置
６  認証制御部
７  ドアロック制御装置
８  エンジン制御装置
９  エンジン
１２  エンジン始動用指紋認証装置
１４  一時使用許可用指紋認証装置
１５  一時使用鍵管理装置
１６  一時使用鍵
３１  通信装置
３２  情報センター
３３  管理者端末
【図１】
2004190381.tif 000003
【図２】
2004190381.tif 000004
【図３】
2004190381.tif 000005
【図４】
2004190381.tif 000006
【図５】
2004190381.tif 000007
【図６】
2004190381.tif 000008
【図７】
2004190381.tif 000009